(57)【要約】【課題】現場での組み立て作業構築可能な四面にわたって水中視野角度の得られる水中景観窓の提供。【解決手段】建築物に事前に窓枠設置に必要な開口を設け，建築物の主構造の完成の後，ステンレス窓枠１、補強アングル、三角プレート、固定プレート、壁面鉄筋、ゴムパッド、強化ガラス７、室温硬化シリコ-ン樹脂シ-ラント等の標準化、モジュール化された部材を組み立てて、現場作業にて組み立てることにより完成される三角錐型水中景観窓。【選択図】図1
2005264620.tif 000002
【特許請求の範囲】
【請求項１】
建築物に事前に窓枠設置に必要な開口を設け，建築物の主構造完成の後，標準化、モジュ-ル化された窓枠部材及び強化ガラスを以下の施工作業順序により現場で組み立て形成する水中景観窓の施工方法であつて、
[１]建築物壁面への窓枠の固定処理：三角錐型水中景観窓を建築物に事前に設けられた窓枠設置の開口に設置するためのステンレス窓枠１及び壁面への水中景観窓設置に必要な各部材の固定処理は，先ず
補強アングル２を窓枠の強化ガラス７の填め込み溝孔10に相対して挿入して溝穴10を補強し，その補強アングル２の下方に三角プレート３を挿入すると共にこの二者を溶接固定し，さらに、固定プレート４をその三角プレート３にあてがって補強アングル２、三角プレート３、固定プレート４の三者によってステンレス窓枠１の構造強度を向上して、強化ガラス７にかかる圧力を充分に負担出来るようにし，また補強アングル２、三角プレート３、固定プレート４の三者とステンレス窓枠１を溶接接合し，さらにこれらを収容するステンレス窓枠内に防水コンクリ-ト９を注入することでそれらを確実に結合させ，また補強強度を増加させる。補強アングル２、三角プレート３、固定プレート４の三者を個別にステンレス窓枠１に溶接結合の後，さらに窓枠設置の開口の壁面張り出し鉄筋５と溶接結合し，窓枠と壁面の隙間を室温硬化シリコ-ン樹脂シ-ラント８によって補填接着する；
[２]強化ガラスを窓枠に固定：補強アングル２、三角プレート３、固定プレート４の三者とステンレス窓枠１が確実に接合しているのを確認の上，ステンレス窓枠１の強化ガラス填め込みの溝孔10底部にゴムパッド６を敷き，強化ガラス７が窓枠のガラス填め込み溝孔10底部に装着後の正確な位置を微調整出来るようにする。前述の溝孔10の微調整作業の完成の後、強化ガラス７の室温硬化シリコ-ン樹脂シ-ラント８による窓枠の溝孔10底部への接着を行い、強化ガラス７が正確に溝孔10底部の所定位置に装着できるようになる。また、ステンレス窓枠１の両側二柱12から伸びる二枚の強化ガラス７の接触面に於いても同様に室温硬化シリコ-ン樹脂シ-ラント８により接合を行い、三角錐型ガラスの二面とし、またその二面の強化ガラス７の上下を三角錐型ガラスの上辺71と三角錐型ガラスの下辺72を用いて接合し、三角錐型水中景観窓を形成することを特徴とする水中景観窓の施工方法。
【請求項２】
建築物壁面に形成された開口に設置され、三角推状に突出して形成される水中景観窓であって、
該開口に密着して形成された長方形アングル材からなるステンレス製窓枠に形成されたガラス填め込み溝孔に対して、
２枚の長方形の強化ガラスと２枚の三角形の強化ガラスを接合してなる三角錐状の窓ガラスの下辺を挿入すると共にゴムパッドを介してこれらを固定する共に室温硬化シリコ-ン樹脂シ-ラントで密封し、
該溝のステンレス製アングル内において、該溝に対向して補強アングル材、三角パッドをあてがって溶接固定し、更にこれらを固定プレートを介して上記壁面に形成された開口周辺に沿って配置された壁面張り出し鉄筋に溶接固定し、これらのアングル材内側にコンクリートを充填するとともに壁面とステンレス窓枠との間を室温硬化シリコ-ン樹脂シ-ラントにより密封してなる、
水中景観窓。
【発明の詳細な説明】
【技術分野】
【０００１】
本発明は水中景観窓の施工方法に関するものであり，建築物に事前に窓枠設置に必要な開口を設け，建築物の主構造完成の後，標準化、モジュ-ル化の窓枠料及び強化ガラスを用いる簡単な設計理念で現場での組み立て完成の可能な特殊造型の四面多角度視野の水中景観窓が得られることである。本発明の施作方法から得られる特殊造型水中景観窓は防水性、耐圧性であり，また美観に優れ低コストで安全性も高く、一般建築物での使用に適した景観設計用途の水中景観窓である。
【背景技術】
【０００２】
従来の典型な水中景観装置はその大半が水族館など大型娯楽施設に設置されており，その大多数を占めるものは湾曲半径に調整された円弧状のガラスであるが，この円弧状ガラスは溶融加工過程での精確な温度調整によって歪みが無く、傷の無いガラスに加工されるがそのコストは高く，一般大型建築物の景観窓用としては適当ではないと思われる。
【特許文献１】特開２００１−３０１６８号公報
【発明の開示】
【発明が解決しようとする課題】
【０００３】
従来型の水中景観窓装置で採用される円弧状型ガラスは、経済面の要素並びに加工技術の高度さのため広範に使用されておらず，如何にして簡単な設計構造でより標準化、モジュ-ル化できる窓枠料及びガラスを用いて現場での組み立て形成可能な四面を展望可能な視野角度の広い水中景観窓が実現できるかが解決を急がれる課題である。
【課題を解決するための手段】
【０００４】
上述の課題を解決するため，本発明者の真摯な検討と再度の試作及び改良、研究の結果、構想された創出された「水中景観窓」とは，建築物に事前に窓枠組み込みの開口を設け，建築物の主構造完成の後，標準化、モジュ-ル化した窓枠及びガラスを窓枠設置の開口に現場にて組み立て、完成する三角錐型ガラス水中景観窓装置で，建築物の外部を水槽で囲い，観賞者はその三角錐型水中景観窓の四面多角度視野の効果により恰も水中下の世界にいる様な感覚を起こさせるものである。本発明の施工方法から得られる特殊造型水中景観窓は、防水性、耐圧性であり，また美観に優れ、低コストで安全性も高く一般建築物での使用に適した景観設計用途の水中景観窓である。
【０００５】
本発明の水中景観窓とは，建築物に事前に窓枠設置に必要な開口を設け，建築物の主構造完成の後，標準化、モジュ-ル化された窓枠料及び強化ガラスを用いる簡単な設計構造で、現場での組み立て完成可能な特殊造型の四面にわたって水中視野角度の広い水中景観窓である。組み立て時に使用する各部材はステンレス窓枠、補強アングル、三角プレート、固定プレート、壁面鉄筋、ゴムパッド、強化ガラス、室温硬化シリコ-ン樹脂シ-ラント等である。
【０００６】
本発明に係わる水中景観窓の施作方法は、
〔１〕築物壁面への窓枠の固定処理：三角錐形水中景観窓を建築物に事前に設けられた窓枠設置の開口に設置するステンレス窓枠及び壁面への水中景観窓設置に必要な各部材の固定処理は，先ず補強アングルをステンレス窓枠の強化ガラスの填め込み溝孔へ挿入して溝穴を強化し，その補強アングルの下方に三角プレートを挿入並びにこの二者を溶接処理にて固定させ、その後、固定プレートをその三角プレートの下方に挿入し，補強アングル、三角プレート、固定プレートの三者によってステンレス窓枠の構造強度を高め、強化ガラスにかかる圧力を充分に負担出来るようにし、また補強アングル、三角プレート、固定プレートの三者とステンレス窓枠を溶接接合し，さらに防水コンクリ-トを注入することでそれらを確実に結合させ、また補強強度を増加させる。補強アングル、三角プレート、固定プレートの三者を個別にステンレス窓枠に溶接結合の後，窓枠設置の開口の壁面張り出し鉄筋とをまた溶接結合し，窓枠と壁面の隙間を室温硬化シリコ-ン樹脂シ-ラントによって接着する；
〔２〕強化ガラスを窓枠に固定：補強アングル、三角プレート、固定プレートの三者とステンレス窓枠が確実に接合しているのを確認の上，ステンレス窓枠の強化ガラス填め込みの溝孔底部にゴムパッドを敷き，強化ガラスが窓枠のガラス填め込み溝孔底部に装着後の正確な位置を微調整出来るようにする。前述の溝孔の微調整作業の完成の後、強化ガラスを取り付け、室温硬化シリコ-ン樹脂シ-ラントで窓枠による溝孔底部への接着を行い、強化ガラスが正確に溝孔底部の所定位置に装着できるようになる。また、窓枠の両側から伸びる二枚の強化ガラスの接触面に於いても同様に室温硬化シリコ-ン樹脂シ-ラントにより接合を行い補填程度及び防水効果を確実なものとする。
【０００７】
以上に述べたものが建築物に事前に窓枠設置に必要な開口を設け，建築物の主構造の完成の後，ステンレス窓枠、補強アングル、三角プレート、固定プレート、壁面張り出し鉄筋、ゴムパッド、強化ガラス、室内硬化型シリコ-ン樹脂シ-ラント等の部材を建築物の窓枠設置の開口に於いて組み立て形成される三角錐型水中景観窓である。
【０００８】
本発明の現場での組み立て完成可能な三角錐型ガラス水中景観窓装置は、ステンレス窓枠の窓枠填め込み溝孔を設けているが、その溝孔は地面（水平線）に対して６０度とし、窓枠に填め込まれた両側二枚の強化ガラスの接触面を正三角形の一内角である６０度として接着したものが三角錐型ガラス水中景観窓となる。またこれは前述の補強アングル、三角プレート、固定プレートの三者によってステンレス窓枠の構造強度を増加した方法と同様の作用原理である。
【０００９】
上述の本発明の採用する窓枠はステンレス製或いはアルミ製でも使用可能で、この両者とも窓枠製造に適している素材である。またステンレス窓枠の窓枠填め込み溝孔は地面（水平線）に対して６０度としているが、それは窓枠の両側から伸びる二枚の強化ガラスの接合強度が外部からの影響を受けない角度でもある。
【発明の効果】
【００１０】
本発明は上述の簡単な設計理念に基づいて標準化、モジュ-ル化の窓枠及びガラスを窓枠設置の開口に現場にて組み立て完成の三角錐型ガラス水中景観窓装置で，建築物の外部を水槽で囲うことで，観賞者はその三角錐形水中景観窓の四面多角度視野の効果により恰も水中下の世界にいる様な感覚を起こさせるものである。
【発明を実施するための最良の形態】
【００１１】
本実施例は実際に出願者所有の実験住宅の地下二階で施工作業が完成しており、またその周囲に水槽を設置し，主構造の完成した建築物に事前に窓枠設置に必要な開口を設け，ステンレス窓枠（１）、補強アングル（２）、三角プレート（３）、固定プレート（４）、壁面張り出し鉄筋（５）、ゴムパッド（６）、強化ガラス（７）、室内硬化型シリコ-ン樹脂シ-ラント（８）等の部材を建築物の窓枠設置の開口に於いて組み立て作業するものである。以下に図を参照して本発明の詳細を説明する。
図１は、本発明の水中景観窓を建築物壁面に設置した正面図及び側面図であり、図２は、図１の窓枠両側の内側９９線の窓枠に対して垂直な一隅における部分拡大図である。
図２の示す通り
［１］壁面への窓枠固定処理
事前に設けられた窓枠設置用の開口に設置するためのステンレス窓枠１及び壁面への水中景観窓設置に必要な各部材の固定処理は，先ず補強アングル２をステンレス窓枠１の強化ガラスの填め込み溝孔10へ挿入して溝穴10を強化し，その補強アングル２の下方に三角プレート３を挿入、並びにこの二者を溶接して固定させ，その後固定プレート４をその三角プレート３の下方に挿入し，補強アングル２、三角プレート３、固定プレート４の三者によってステンレス窓枠１の構造強度を高め，強化ガラス７にかかる圧力を充分に負担出来るようにし，また補強アングル２、三角プレート３、固定プレート４の三者とステンレス窓枠１を溶接接合し，さらに防水コンクリ-ト11を注入することで補強アングル２、三角プレート３、固定プレート４の三者とステンレス窓枠１を確実に結合させまた補強強度を増加させる。補強アングル２、三角プレート３、固定プレート４の三者を個別にステンレス窓枠１に溶接結合の後，さらに窓枠設置の開口の壁面張り出し鉄筋５と溶接結合し，窓枠と壁面の隙間を室温硬化シリコ-ン樹脂シ-ラント８によって補填接着する
[２]強化ガラスの窓枠への固定：
補強アングル２、三角プレート３、固定プレート４の三者とステンレス窓枠１が確実に接合しているのを確認の上，ステンレス窓枠１の強化ガラス填め込みの溝孔10底部にゴムパッド６を敷き，強化ガラス７がステンレス窓枠１の強化ガラス填め込み溝孔10底部に装着後の正確な位置を微調整出来るようにする。前述の溝孔の微調整作業の完成の後、強化ガラス７の室温硬化シリコ-ン樹脂シ-ラント８による溝孔10底部への接着を行い、強化ガラス７が正確に溝孔10底部の所定位置に装着できるようになる。
また、ステンレス窓枠１の両側二柱12から伸びる二枚の強化ガラス７の接触面に於いても同様に室温硬化シリコ-ン樹脂シ-ラント８により接合を行って三角錐型ガラスの二面とし、またその二面の強化ガラス７の下を三角錐型ガラスの上辺71と三角錐型ガラスの下辺72を用いて接合し三角錐型水中景観窓が形成される。
上述の簡単な設計構造に基づいてステンレス窓枠、補強アングル、三角プレート、固定プレート、壁面張り出し鉄筋、ゴムパッド、強化ガラス、室温硬化シリコ-ン樹脂シ-ラント等の部材を用いて建築物の窓枠設置の開口に於いて組み立て形成される三角錐型水中景観窓である。
【００１２】
上述の簡単な設計理念に基づいて標準化、モジュ-ル化の窓枠及びガラスを窓枠設置の開口に現場にて組み立て完成の三角錐型ガラス水中景観窓装置は，使用方面に於いては、建築物の外部を水槽で囲うことにより，観賞者はその三角錐型水中景観窓の四面多角度視野の効果により恰も水中下の世界にいる様な感覚を起こさせるものであり、また性質方面では防水性、抗圧性であり，美観で低コストで安全性も高く一般建築物での使用に適した景観設計用途の水中景観窓である
【図面の簡単な説明】
【００１３】
【図１】本発明の水中景観窓を建築物壁面に設置した正面図及び側面図。
【図２】図１の窓枠両側の内側99線、窓枠に垂直な一角の拡大図。
【符号の説明】
【００１４】
１．ステンレス窓枠
２．補強アングル
３．三角プレート
４．固定プレート
５．壁面張り出し鉄筋
６．ゴムパッド
７．強化ガラス
８．室温硬化シリコ-ン樹脂シ-ラント
10．溝孔
11．防水コンクリ-ト
12．窓枠の両側二柱
71．三角錐形ガラスの上
72．三角錐形ガラスの下
【図１】
2005264620.tif 000003
【図２】
2005264620.tif 000004